(57)【要約】【課題】太陽電池モジュールを隙間なく敷設できると共に、施工を容易にする金具を提供する。【解決手段】太陽電池サブモジュール１１を枠状に囲う枠体、枠体の側縁から架台２側に延び出した支持部１２３、及び、支持部１２３の下端から内側に向かって延び出し、敷設面上に載置される板状の基底部１２４、を備えたフレーム１２とからなる太陽電池モジュール１を架台２上に複数、隣接させて敷設するための金具であって、太陽電池モジュールの基底部１２４を、断面Ｕ字状の掛着溝３２内に挟持する挟持部３１と、挟持部３１の端部であって、太陽電池モジュール１の基底部１２４の下面側の端部から、隣接する太陽電池モジュール１側に延び出すフランジ３４と、挟持部３１の一端から延び出し、太陽電池モジュール１の支持部１２３に外側から当接して金具の脱離を防ぐ掛止部３３とを有する差込型ブラケット３を提供する。【選択図】図５
2012043656.tif 000002
【特許請求の範囲】
【請求項１】
受光して発電する太陽電池サブモジュールと、
上記太陽電池サブモジュールを枠状に囲う枠体、当該枠体の側縁から架台側に延び出した板状の支持部、及び、当該支持部の下端から内側に向かって延び出し、架台上に載置される板状の基底部、を備えたフレームと、からなる太陽電池モジュールを上記架台上に複数、隣接させて敷設するための金具であって、
上記太陽電池モジュールの基底部を、断面Ｕ字状の条溝内に挟持する挟持部と、
上記挟持部の端部であって、上記太陽電池モジュールの基底部の下面側の端部から、隣接する太陽電池モジュール側に延び出すフランジと、
上記挟持部の一端から延び出し、上記太陽電池モジュールの支持部に外側から当接して金具の脱離を防ぐ掛止部と、を有する、
ことを特徴とする太陽電池モジュール用取付金具。
【請求項２】
上記フランジは、隣接する太陽電池モジュールの基底部の下面側に延び出して、当該基底部の下面に当接する、
請求項１記載の太陽電池モジュール用取付金具。
【請求項３】
上記フランジには、上記金具を上記架台上に取り付けるための取付構造が設けられている、
請求項１記載の太陽電池モジュール用取付金具。
【請求項４】
上記金具は、複数の部材を一体的に連結して構成される、
請求項１乃至３いずれかの項に記載の太陽電池モジュール用取付金具。
【請求項５】
上記金具は少なくとも、
上記挟持部の構成部分のうち、上記太陽電池モジュールの基底部を上面側から押さえる第一の押え部を備え、所定の連結構造が形成された第一部材と、
上記挟持部の構成部分のうち、上記太陽電池モジュールの基底部を下面側から押さえる第二の押え部を備え、上記第一部材の連結構造に対応した連結構造が形成された第二部材と、を一体的に連結して構成される、
請求項４記載の太陽電池モジュール用取付金具。
【請求項６】
上記第二部材はさらに、上記掛止部を備える、
請求項５記載の太陽電池モジュール用取付金具。
【請求項７】
上記第一部材が備える連結構造は、上記太陽電池モジュールの基底部に対して垂直上方に突出した係合突条、あるいは上記太陽電池モジュールの基底部に対して垂直上方に開口した係合溝であり、
上記第二部材が備える連結構造は、上記太陽電池モジュールの基底部に対して垂直上方に開口した係合溝、あるいは上記太陽電池モジュールの基底部に対して垂直下方に突出した係合突条であり、
上記第一部材と上記第二部材とを、上記太陽電池モジュールの基底部と平行にスライドさせることにより、上記第一部材の係合突条と上記第二部材の係合溝、あるいは上記第一部材の係合溝と上記第二部材の係合突起が係合して、上記第一部材と上記第二部材が一体的に連結する、
請求項５記載の太陽電池モジュール用取付金具。
【請求項８】
上記金具は、アルミニウムの押出成形によって作成される、
請求項５記載の太陽電池モジュール用取付金具。
【請求項９】
上記金具は少なくとも、
上記挟持部を備え、所定の連結構造が形成された第三部材と、
上記掛止部を備え、上記第三部材の連結構造に対応した連結構造が形成された第四部材と、を一体的に連結して構成される、
請求項４記載の太陽電池モジュール用取付金具。
【請求項１０】
上記第三部材が備える連結構造は、上記太陽電池モジュールの基底部に対して垂直上方に突出した係合突条、あるいは上記太陽電池モジュールの基底部に対して垂直上方に開口した係合溝であり、
上記第四部材が備える連結構造は、上記太陽電池モジュールの基底部に対して垂直上方に開口した係合溝、あるいは上記太陽電池モジュールの基底部に対して垂直下方に突出した係合突条であり、
上記第三部材と上記第四部材とを、上記太陽電池モジュールの基底部と平行にスライドさせることにより、上記第三部材の係合突条と上記第四部材の係合溝、あるいは上記第三部材の係合溝と上記第四部材の係合突起が係合して、上記第三部材と上記第四部材が一体的に連結する、
請求項９記載の太陽電池モジュール用取付金具。
【請求項１１】
受光して発電する太陽電池サブモジュールと、上記太陽電池サブモジュールを枠状に囲う枠体、当該枠体の側縁から架台側に延び出した板状の支持部、及び、当該支持部の下端から内側に向かって延び出し、架台上に載置される板状の基底部、を備えたフレームと、からなる太陽電池モジュールを、
上記太陽電池モジュールの基底部を、断面Ｕ字状の条溝内に挟持する挟持部と、上記挟持部の端部であって、上記太陽電池モジュールの基底部の下面側の端部から、隣接する太陽電池モジュール側に延び出すフランジと、上記挟持部の一端から延び出し、上記太陽電池モジュールの支持部に外側から当接して金具の脱離を防ぐ掛止部と、を有する太陽電池モジュール用取付金具により、上記架台上に複数、一列に隣接させて敷設するための施工方法であって、
上記架台上に固定された第一の太陽電池モジュールに、第二の太陽電池モジュールを隣り合わせにして連設させる際、上記第一の太陽電池モジュールの基底部に、上記第二の太陽電池モジュールの基底部に取り付けられた太陽電池モジュール用取付金具のフランジを下面側から当接させる工程と、
上記第二の太陽電池モジュールの端部のうち、上記第一の太陽電池モジュールと反対側の端部を、上記架台上に固定する工程と、を有する、
ことを特徴とする太陽電池モジュールの施工方法。
【請求項１２】
上記敷設面は傾斜しており、
上記第一の太陽電池モジュールに上記第二の太陽電池モジュールを隣り合わせにして連設させる工程は、上記架台上において、水下側に固定された第一の太陽電池モジュールに、水上側第二の太陽電池モジュールを隣り合わせにして連設させる際、上記第一の太陽電池モジュールの水上側の基底部に、上記第二の太陽電池モジュールの水下側の基底部に取り付けられた太陽電池モジュール用取付金具のフランジを下面側から当接させる、
請求項１１記載の太陽電池モジュールの施工方法。
【発明の詳細な説明】
【技術分野】
【０００１】
本発明は、複数の太陽電池モジュールを隙間なく敷設するための太陽電池モジュール用取付金具に関する。
【背景技術】
【０００２】
受光により発電する太陽電池は、屋根や屋上等の日当たりの良い場所に複数、縦横に並べて取り付けられるのが一般的である。【０００３】
しかし、このように太陽電池は屋根や屋上等に設置されることから、風雨等によって吹き飛ばされたりすることのないよう、敷設面上にしっかりと固定されていなければならない。
また、屋根や屋上等の敷設面は多くの場合、限られたスペースしかないので、発電量の確保等のためには出来る限り隙間なく敷き詰めた方がよいし、隙間なく敷き詰めたほうが見栄えもよい。
さらに、施工の観点においても、敷設面が限られたスペースであると共に、高所であることも多いことから、出来る限りシンプルに、且つ安全に施工できる構造であることが望ましい。【０００４】
この点、特許文献１では、複数の太陽電池セルが並べられて長方形の平板状に構成された太陽電池本体部と、この太陽電池本体部の各側縁部に枠材がそれぞれ嵌合されて構成された枠体とを有する複数の太陽電池モジュールを、横方向に並べた状態で架台上に取り付けるための太陽電池モジュールの取付構造であって、隣接する一対の太陽電池モジュールにそれぞれ設けられて相互に近接して配置された各枠材に、それぞれが太陽電池本体部の内側に向かって相互に離れるように延出したフランジ状の係止部がそれぞれ設けられており、これらの係止部が、架台上に取り付けられた上面に開口部を有する係合部材のその開口部からそれぞれ嵌入して係止するようになっている太陽電池モジュールの取付構造が提案されている。
【先行技術文献】
【特許文献】
【０００５】
【特許文献１】特開平９−１６７８５２号公報
【発明の概要】
【発明が解決しようとする課題】
【０００６】
上記特許文献１記載の技術では、枠体の係止部が内側に向かって延出した太陽電池モジュールを隣接させて敷設しているため、太陽電池モジュール同士を隙間なく当接させることができる。【０００７】
しかしながら、この取付構造は、架台に対して太陽電池モジュールをスライドさせることにより、架台上に設置した係合部材の開口部に、太陽電池モジュールの枠体の係止部を差し込む構造となっている。そのため、太陽電池モジュールをスライドさせるためのスペースあるいは足場が必要となり、施工が容易でない。また、太陽電池モジュールの枠体全体をスライドさせて差し込む場合、枠体に僅かな歪み等があるだけで、スムーズに差し込むことができない。【０００８】
そこで、本発明は、太陽電池モジュールを隙間なく敷設させることができると共に、施工を容易にする金具を提供することを目的とする。
【課題を解決するための手段】
【０００９】
上記目的を達成するため、本発明の一の観点に係る太陽電池モジュール用取付金具は、受光して発電する太陽電池サブモジュールと、上記太陽電池サブモジュールを枠状に囲う枠体、当該枠体の側縁から架台側に延び出した板状の支持部、及び、当該支持部の下端から内側に向かって延び出し、架台上に載置される板状の基底部、を備えたフレームと、からなる太陽電池モジュールを上記架台上に複数、隣接させて敷設するための金具であって、上記太陽電池モジュールの基底部を、断面Ｕ字状の条溝内に挟持する挟持部と、上記挟持部の端部であって、上記太陽電池モジュールの基底部の下面側の端部から、隣接する太陽電池モジュール側に延び出すフランジと、上記挟持部の一端から延び出し、上記太陽電池モジュールの支持部に外側から当接して金具の脱離を防ぐ掛止部と、を有することを特徴とする。【００１０】
また、上記フランジは、隣接する太陽電池モジュールの基底部の下面側に延び出して、当該基底部の下面に当接するものとしてもよい。【００１１】
また、上記フランジには、上記金具を上記架台上に取り付けるための取付構造が設けられているものとしてもよい。【００１２】
また、上記金具は、複数の部材を一体的に連結して構成されるものとしてもよい。【００１３】
また、上記金具は少なくとも、上記挟持部の構成部分のうち、上記太陽電池モジュールの基底部を上面側から押さえる第一の押え部を備え、所定の連結構造が形成された第一部材と、上記挟持部の構成部分のうち、上記太陽電池モジュールの基底部を下面側から押さえる第二の押え部を備え、上記第一部材の連結構造に対応した連結構造が形成された第二部材と、を一体的に連結して構成されるものとしてもよい。【００１４】
また、上記第二部材はさらに、上記掛止部を備えるものとしてもよい。【００１５】
また、上記第一部材が備える連結構造は、上記太陽電池モジュールの基底部に対して垂直上方に突出した係合突条、あるいは上記太陽電池モジュールの基底部に対して垂直上方に開口した係合溝であり、上記第二部材が備える連結構造は、上記太陽電池モジュールの基底部に対して垂直上方に開口した係合溝、あるいは上記太陽電池モジュールの基底部に対して垂直下方に突出した係合突条であり、上記第一部材と上記第二部材とを、上記太陽電池モジュールの基底部と平行にスライドさせることにより、上記第一部材の係合突条と上記第二部材の係合溝、あるいは上記第一部材の係合溝と上記第二部材の係合突起が係合して、上記第一部材と上記第二部材が一体的に連結するものとしてもよい。【００１６】
また、上記金具は、アルミニウムの押出成形によって作成されるものとしてもよい。【００１７】
また、上記金具は少なくとも、上記挟持部を備え、所定の連結構造が形成された第三部材と、上記掛止部を備え、上記第三部材の連結構造に対応した連結構造が形成された第四部材と、を一体的に連結して構成されるものとしてもよい。【００１８】
また、上記第三部材が備える連結構造は、上記太陽電池モジュールの基底部に対して垂直上方に突出した係合突条、あるいは上記太陽電池モジュールの基底部に対して垂直上方に開口した係合溝であり、上記第四部材が備える連結構造は、上記太陽電池モジュールの基底部に対して垂直上方に開口した係合溝、あるいは上記太陽電池モジュールの基底部に対して垂直下方に突出した係合突条であり、上記第三部材と上記第四部材とを、上記太陽電池モジュールの基底部と平行にスライドさせることにより、上記第三部材の係合突条と上記第四部材の係合溝、あるいは上記第三部材の係合溝と上記第四部材の係合突起が係合して、上記第三部材と上記第四部材が一体的に連結するものとしてもよい。【００１９】
また、本発明の別の観点に係る太陽電池モジュールの施工方法は、受光して発電する太陽電池サブモジュールと、上記太陽電池サブモジュールを枠状に囲う枠体、当該枠体の側縁から架台側に延び出した板状の支持部、及び、当該支持部の下端から内側に向かって延び出し、架台上に載置される板状の基底部、を備えたフレームと、からなる太陽電池モジュールを、上記太陽電池モジュールの基底部を、断面Ｕ字状の条溝内に挟持する挟持部と、上記挟持部の端部であって、上記太陽電池モジュールの基底部の下面側の端部から、隣接する太陽電池モジュール側に延び出すフランジと、上記挟持部の一端から延び出し、上記太陽電池モジュールの支持部に外側から当接して金具の脱離を防ぐ掛止部と、を有する太陽電池モジュール用取付金具により、上記架台上に複数、一列に隣接させて敷設するための施工方法であって、上記架台上に固定された第一の太陽電池モジュールに、第二の太陽電池モジュールを隣り合わせにして連設させる際、上記第一の太陽電池モジュールの基底部に、上記第二の太陽電池モジュールの基底部に取り付けられた太陽電池モジュール用取付金具のフランジを下面側から当接させる工程と、上記第二の太陽電池モジュールの端部のうち、上記第一の太陽電池モジュールと反対側の端部を、上記架台上に固定する工程と、を有することを特徴とする。【００２０】
また、上記敷設面は傾斜しており、上記第一の太陽電池モジュールに上記第二の太陽電池モジュールを隣り合わせにして連設させる工程は、上記架台上において、水下側に固定された第一の太陽電池モジュールに、水上側第二の太陽電池モジュールを隣り合わせにして連設させる際、上記第一の太陽電池モジュールの水上側の基底部に、上記第二の太陽電池モジュールの水下側の基底部に取り付けられた太陽電池モジュール用取付金具のフランジを下面側から当接させるものとしてもよい。
【発明の効果】
【００２１】
本発明によれば、太陽電池モジュールを隙間なく敷設させることができると共に、施工を容易にすることができる。
【図面の簡単な説明】
【００２２】
【図１】本発明の実施形態に係る太陽電池モジュール用ブラケットの取付位置、及び当該太陽電池モジュール用取付金具を取り付けた状態を示す模式図である。
【図２】太陽電池モジュールを示す図であって、（ａ）平面図、（ｂ）Ｂ−Ｂ断面図、（ｃ）Ｃ−Ｃ断面図である。
【図３】太陽電池モジュールが載置される架台を示す図であって、（ａ）カバーが取り付けられていない状態の斜視図、（ｂ）カバーが取り付けられた状態の斜視図である。
【図４】本実施形態に係る差込型ブラケットを示す図であって、（ａ）斜視図、（ｂ）側面図である。
【図５】本実施形態に係る差込型ブラケットを、太陽電池モジュールに取り付けた状態を示す側断面図である。
【図６】本実施形態に係る差込型ブラケットを、最も水下側に配される太陽電池モジュールに取り付けた状態を示す側断面図である。
【図７】本実施形態に係る固定型ブラケットを示す図であって、（ａ）斜視図、（ｂ）側面図である。
【図８】本実施形態に係る固定型ブラケットを、太陽電池モジュールに取り付けた状態を示す側断面図である。
【図９】本実施形態に係る固定型ブラケットを、最も水上側に配される太陽電池モジュールに取り付けた状態を示す側断面図である。
【図１０】本実施形態に係る固定型ブラケットにより、太陽電池モジュールを架台に固定する際に用いられる固定金具を示す斜視図であって、（ａ）固定金具単品を示す図、（ｂ）架台に固定金具を配した図である。
【図１１】本実施形態に係る固定型ブラケットと架台の固定の構造を示す平面図である。
【図１２】本実施形態に係る差込型ブラケット及び固定型ブラケットが取り付けられた、最も水下側に敷設される太陽電池モジュールを、架台上に設置する様子をＡ−Ａ矢視（図１）により示す側面図であって、（ａ）架台上に載置する様子、（ｂ）架台に固定する様子、（ｃ）架台上に固定した状態を示す。
【図１３】本実施形態に係る固定型ブラケットにより、太陽電池モジュールを架台上に固定する様子を模式的に示す平面図であって、（ａ）ボルトで締結する前の状態、（ｂ）ボルトで締結する様子、（ｃ）ボルトで締結した状態を示す。
【図１４】本実施形態に係る差込型ブラケット及び固定型ブラケットを取り付けた太陽電池モジュールを、架台上に設置する様子を、Ａ’−Ａ’矢視（図１）により示す側面図であって、（ａ）架台上に載置する様子、（ｂ）架台に固定する様子、（ｃ）架台上に固定した状態を示す。
【図１５】本発明の別の実施形態に係る差込型ブラケットを示す図であって、（ａ）斜視図、（ｂ）側面図、（ｃ）裏面図である。
【図１６】本実施形態に係る差込型ブラケットを構成する掛着部材を示す図であって、（ａ）側面図、（ｂ）裏面図である。
【図１７】本実施形態に係る差込型ブラケットを構成する掛止部材を示す図であって、（ａ）側面図、（ｂ）裏面図である。
【図１８】本実施形態に係る差込型ブラケットを、太陽電池モジュールに取り付ける様子を模式的に示す側面図であって、（ａ）掛着部材を取り付ける様子、（ｂ）掛止部材を取り付ける様子、（ｃ）差込型ブラケットを取り付けた状態を示す。
【図１９】本実施形態に係る差込型ブラケットを、太陽電池モジュールに取り付ける様子を示す平面図であって、（ａ）掛着部材を取り付ける様子、（ｂ）掛止部材を取り付ける様子、（ｃ）差込型ブラケットを取り付けた状態を示す。
【図２０】本発明の別の実施形態に係る固定型ブラケットを示す図であって、（ａ）斜視図、（ｂ）側面図、（ｃ）裏面図である。
【図２１】本実施形態に係る固定型ブラケットを構成する掛止部材を示す図であって、（ａ）側面図、（ｂ）裏面図である。
【図２２】本実施形態に係る固定型ブラケットを、太陽電池モジュールに取り付ける様子を模式的に示す側面図であって、（ａ）掛着部材を取り付ける様子、（ｂ）掛止部材を取り付ける様子、（ｃ）固定型ブラケットを取り付けた状態を示す。
【図２３】本実施形態に係る固定型ブラケットを、太陽電池モジュールに取り付ける様子を示す平面図であって、（ａ）掛着部材を取り付ける様子、（ｂ）掛止部材を取り付ける様子、（ｃ）固定型ブラケットを取り付けた状態を示す。
【図２４】本実施形態に係る差込型ブラケット及び固定型ブラケットが取り付けられた、最も水下側に敷設される太陽電池モジュールを、架台上に設置する様子を模式的に示す側面図であって、（ａ）架台上に載置する様子、（ｂ）架台に固定する様子、（ｃ）架台上に固定した状態を示す。
【図２５】本実施形態に係る固定型ブラケットにより、太陽電池モジュールを架台上に固定する様子を模式的に示す平面図であって、（ａ）ボルトで締結する前の状態、（ｂ）ボルトで締結する様子、（ｃ）ボルトで締結した状態を示す。
【図２６】本実施形態に係る差込型ブラケット及び固定型ブラケットを取り付けた太陽電池モジュールを、架台上に設置する様子を模式的に示す側面図であって、（ａ）架台上に載置する様子、（ｂ）架台に固定する様子、（ｃ）架台上に固定した状態を示す。
【図２７】本発明のさらに別の実施形態に係る差込型ブラケットを示す図であって、（ａ）斜視図、（ｂ）側面図、（ｃ）裏面図である。
【図２８】本実施形態に係る差込型ブラケットを構成する掛着部材を示す図であって、（ａ）側面図、（ｂ）裏面図である。
【図２９】本実施形態に係る差込型ブラケットを構成する掛止部材を示す図であって、（ａ）側面図、（ｂ）裏面図である。
【図３０】本発明の別の実施形態に係る固定型ブラケットを示す図であって、（ａ）斜視図、（ｂ）側面図、（ｃ）裏面図である。
【図３１】本実施形態に係る固定型ブラケットを構成する掛止部材を示す図であって、（ａ）側面図、（ｂ）裏面図である。
【図３２】本実施形態に係る差込型ブラケット及び固定型ブラケットに、クッション材を取り付けた例を示す図であって、（ａ）差込型ブラケットに応用した例、（ｂ）固定型ブラケットに応用した例である。
【図３３】本実施形態に係る固定型ブラケットにより、太陽電池モジュールを架台に固定する際に用いられる固定金具の別の例について、架台に取り付ける状態を示す斜視図である。
【図３４】本実施形態に係る固定型ブラケットにより、太陽電池モジュールを架台に固定する際に用いられる固定金具の別の例について、（ａ）架台に取り付ける状態を示す断面図、（ｂ）架台に取付田状態を示す断面図である。
【発明を実施するための形態】
【００２３】
次に、本発明の実施形態に係る太陽電池モジュール用取付金具について、図を参照して説明する。
図１は、屋根等の敷設面上において、本実施形態に係る差込型ブラケット３、及び固定型ブラケット４を用い、太陽電池モジュール１を敷設した状態を模式的に示している。
なお、差込型ブラケット３及び固定型ブラケット４は夫々、別の実施形態に係るものであるが、共に本発明の一実施形態であって、同時に用いられて太陽電池モジュール１を架台２上に固定する。
【００２４】
本例における敷設面は傾斜のついた屋根である。
この敷設面上には、太陽電池モジュール１を設置するための架台２が複数本、水下側から水上側に向けて、互いに平行に取り付けられている。
【００２５】
一方、各太陽電池モジュール１は、架台２の長さ方向に沿って、水下側から水上側に向かう方向を連設方向ｘとして、二本の架台２上に順次連設されている。
なお、この連設方向ｘに一列に敷設された一群の太陽電池モジュール１は、連設方向ｘと直交する向きにも複数列敷設することができ、これにより縦横に太陽電池モジュール１が敷設される。この場合、太陽電池モジュール１は縦横に当接して敷設されることになるが、本例においては、太陽電池モジュール用取付金具３、４を介して連設する方向を連設方向ｘという。
また、以下においては説明の便宜のため、連設方向ｘに一列に敷設された一群の太陽電池モジュール１について、水下側から順に第１太陽電池モジュール１、第２太陽電池モジュール１・・・第ｎ太陽電池モジュール（ｎは２以上の自然数）と称することがある。
【００２６】
図１に示されるように、各太陽電池モジュール１には、水下側に差込型ブラケット３が２つ取り付けられ、水上側に固定型ブラケット４が２つ取り付けられている。
また、第２〜第ｎ太陽電池モジュール１において、差込型ブラケット３は、太陽電池モジュール１が架台２上に設置された際に架台２の外側に当たる位置に、固定型ブラケット４は同様の際に架台２と重なる位置に取り付けられている。
一方、第１太陽電池モジュール１においては、固定型ブラケット４は第２〜第ｎ太陽電池モジュール１と同様、架台２と重なる位置に取り付けられているが、差込型ブラケット３も、架台２上と重なる位置に取り付けられている。
なお、本実施形態においては、差込型ブラケット３を、架台２の外側に当たる位置に取り付ける構成を示したが、本発明はこれに限らず、架台２の内側に当たる位置に取り付けてもよい。
【００２７】
また、全ての太陽電池モジュール１の水上側端部は、固定型ブラケット４により、架台２上に固定されている。
これに対して、各太陽電池モジュール１の水下側端部は、直接的には架台２上に固定されていないが、後述する差込型ブラケット３のフランジ３４が、水下側に隣接する太陽電池モジュール１の下面等に下方（施設面側）から当接している。これにより、太陽電池モジュール１は上方（受光面側）への動きを規制されている。
【００２８】
このような各太陽電池モジュール１について、架台２に直接固定されてない水下側の端部を自由端、架台２に直接固定された水上側の端部を固定端と称すると、敷設された一群の太陽電池モジュール１は、連設方向ｘに沿って、自由端と固定端とが交互にくるように敷設されている。
【００２９】
次に、太陽電池モジュール１の構成について説明する。
太陽電池モジュール１は、図２（ａ）に示されるように、中空枠状のフレーム１２と、このフレーム１２の枠内に取り付けられた太陽電池サブモジュール１１からなる。
太陽電池サブモジュール１１とは、少なくとも受光により発電する太陽電池素子を備え、適宜これを保護するカバーガラス等を積層した基板である。
本実施形態に適用される太陽電池素子は、シリコン結晶系（単結晶シリコン、多結晶シリコン）、非結晶系（アモルファスシリコン）、化合物系（ＣＩＳ、ＣｄＴｅ、ＧａＡｓなど）、あるいは有機系の太陽電池素子等いずれのものであってもよく、その種類は特に限定されない。
【００３０】
フレーム１２は、太陽電池サブモジュール１１を保持すると共に、積層端面を保護する枠であって、アルミニウム等の金属からなる。このフレーム１２は、四つの棒状のフレーム構成部材の端部同士を直角に接続させて、太陽電池サブモジュール１１の外周形状に応じた長方形状に構成されている。
【００３１】
さらに、このフレーム１２は、図２（ｂ）、（ｃ）に示されるように、太陽電池サブモジュール１１を上面側から挟持する上面側挟持部１２１と、太陽電池サブモジュール１１を下面側から挟持する下面側挟持部１２２と、上面側挟持部１２１及び下面側挟持部１２２の端部から下側（架台２側）へ直角に折曲して延び出した板状の支持部１２３と、支持部１２３の下端部から内側へ直角に折曲して延び出した板状の基底部１２４とから形成されている。
【００３２】
また、フレーム１２の側縁のうち、連設方向ｘ（架台２の長さ方向）において対向する、水下側端部及び水上側端部において、基底部１２４は架台２上に載置され、さらに、支持部１２３が太陽電池サブモジュール１１を架台２上に支持している。
【００３３】
上面側挟持部１２１と下面側挟持部１２２とによって枠状に形成される隙間の縦幅は、太陽電池サブモジュール１１の厚さよりも僅かに大きく、中空部側に開口した条溝１２ａを形成している。この条溝１２ａには、ブチルゴム等の充填材を介在させた上、太陽電池サブモジュール１１の外周部分が差し込まれる。これにより、太陽電池サブモジュール１１とフレーム１２とが一体的に太陽電池モジュール１を構成する。
【００３４】
架台２は、屋根等の敷設面上に複数、平行に設置され、二本一組で太陽電池モジュール１を敷設面上に支持する棒状の部材であり、亜鉛めっき鋼板などからなる。
この架台２は図３（ａ）に示されるように、両端が開口した縦長中空の四角柱状に形成され、敷設面上に載置される底面部２１と、底面部２１に対して直角な一対の側面部２２と、底面部２１と平行で、太陽電池モジュール１が載置される一対の載置部２３とから構成される。
【００３５】
一対の載置部２３の間には、架台２の長さ方向に沿って開口部２４が形成されている。
また、一対の側面部２２には夫々、水下側端部近傍にボルト孔２２ａが形成されている。このボルト孔２２ａは、後述するカバー２５（図３（ｂ）参照）を取り付けるため、カバー２５のボルト孔２５２ａに対応して形成された孔である。
【００３６】
架台２の水下側端部には、図３（ｂ）に示されるように、太陽電池モジュール１が設置される際に、カバー２５が取り付けられる。
このカバー２５は、架台２の水下側の開口端部を覆う板状の前面部２５１と、架台２の側面部２２を覆う板状の側面部２５２と、架台２の載置部２３及び開口部２４を覆う板状の上面部２５３と、上面部２５３の水上側端部から上方に直角に立設した板状の掛止部２５４とからなる。
【００３７】
一対の側面部２５２には夫々、架台２の側面部２２に形成されたボルト孔２２ａ（図３（ａ）参照）に対応して、ボルト孔２５２ａが形成されている。
架台２の水下側端部をカバー２５で覆うと共に、カバー２５のボルト孔２５２ａ及び架台２のボルト孔２２ａにボルト２５２ｂを挿通させることで、カバー２５が架台２に取り付けられる。
なお、ボルト２５２ｂは、ボルト孔２５２ａとボルト孔２２ａの内周面に予め形成された雌ネジ、あるいはナットに螺合し、これによりカバー２５が架台２に固定される。
【００３８】
次に、本発明の実施形態に係る差込型ブラケット３と固定型ブラケット４について、図を参照して説明する。
まず、差込型ブラケット３について、図４〜図６を参照して説明する。
差込型ブラケット３は、太陽電池モジュール１を架台２上に設置するための金具であって、太陽電池モジュール１の水下側の基底部１２４に取り付けられる。
【００３９】
この差込型ブラケット３は例えば、アルミニウム、又はアルミニウムを主材料とする合金等の押出成型によって作製される。その幅は、太陽電池モジュール１の基底部１２４の長手方向の幅よりも十分に小さく、少なくとも、架台２の開口部２４の開口幅（載置部２３間の幅）以下に形成されている。
【００４０】
この差込型ブラケット３は、図４に示されるように、太陽電池モジュール１の基底部１２４を、断面略Ｕ字状の掛着溝３２内に挟持する挟持部３１と、挟持部３１の端部から上方に直角に立ち上がった板状の掛止片３３と、挟持部３１の端部から外側に向かって水平に延び出した板状のフランジ３４とからなる。
【００４１】
挟持部３１は、太陽電池モジュール１の基底部１２４を上面側から挟持する上面側挟持部３１１、上面側挟持部３１１の一側縁部から下方に延び出し、内側の面が掛着溝３２の溝底部を形成する支持部３１２、及び、支持部３１２の一側縁部から水平に延び出し、太陽電池モジュール１の基底部１２４を下面側から挟持する下面側挟持部３１３から構成される。
【００４２】
さらに、上面側挟持部３１１には、一側縁部近傍において下方に突出して形成された当接部３１１ａが形成され、下面側挟持部３１３には、一側縁部近傍において上方に突出して形成された当接部３１３ａが形成されている。
この当接部３１１ａ、３１３ａは夫々、太陽電池モジュール１の基底部１２４に、上面又は下面から当接し、これにより太陽電池モジュール１の基底部１２４が挟持される。
【００４３】
掛止片３３は、下面側挟持部３１３の端部から上方に直角に立ち上がって形成されている。さらに、この掛止片３３は、差込型ブラケット３を太陽電池モジュー１に取り付けた状態を表す図５又は図６に示されるように、太陽電池モジュール１の支持部１２３と平行に形成されており、当該支持部１２３に外側から隙間なく当接する。これにより、太陽電池モジュール１の支持部１２３に掛止片３３が掛止して、差込型ブラケット３の水上側方向への脱離が防がれる。
【００４４】
なお、この掛止片３３は少なくともその高さが、太陽電池モジュール１の支持部１２３の高さ以下であることが好ましく、この場合には、基底部１２４に差込型ブラケット３を取り付けた際、掛止片３３が、太陽電池モジュール１の上面よりも高い位置に飛び出ることがない。
また、この掛止片３３の厚みは、隣接する太陽電池モジュール１間の隙間を形成するため、太陽電池モジュール１に掛止するのに十分な強度を担保できる厚さを確保した上で、出来る限り薄く構成するとよい。
【００４５】
フランジ３４は、太陽電池モジュール１を敷設する際、水下側に隣接する太陽電池モジュール１の基底部１２４の下面、あるいはカバー２５の上面部２５３の下面に差し込まれる部分である。
このフランジ３４の差込方向の端部には、上面が差込方向に向かって徐々に大きく切り欠かれた傾斜面が形成されている。この傾斜面は、隣接する太陽電池モジュール１の基底部１２４の下面、あるいはカバー２５の上面部２５３の下面に、フランジ３４をスムーズにガイドするためのガイド部３４ａを構成する。
【００４６】
以上の構成を有する差込型ブラケット３において、太陽電池モジュール１の基底部１２４を挟持する挟持部３１の隙間は、太陽電池モジュールの基底部１２４の厚さよりも僅かに大きく形成されている。これにより、図５又は図６に示されるように、基底部１２４の上下面が挟持部３１によって挟持され、差込型ブラケット３は、上下方向に動くことなく、太陽電池モジュール１に取り付けられる。
【００４７】
また、掛着溝３２の溝奥から掛止片３３までの長さは、太陽電池モジュール１の基底部１２４の幅よりも僅かに大きく形成されている。これにより、掛着溝３２内に掛着させた太陽電池モジュール１の基底部１２４は、両端部が夫々、掛止片３３と掛着溝３２の溝奥とに当接し、差込型ブラケット３が、太陽電池モジュール１の水下側方向あるいは水上側方向（連設方向ｘ）に動くことなく、太陽電池モジュール１に取り付けられる。
【００４８】
そして、第２太陽電池モジュールから第ｎ太陽電池モジュールに取り付けられた差込型ブラケット３は、太陽電池モジュール１を敷設した際、図５に示されるように、フランジ３４が水下側に隣接する太陽電池モジュール１の基底部１２４に下面側から当接し、取り付けられている太陽電池モジュール１の上方への動きを規制する。
ここで、図５に示されるように、フランジ３４の上面と、下面側挟持部３１３の当接部３１３ａの上面は同一平面上にある。これにより、差込型ブラケット３を介して太陽電池モジュール１を連設した際、挟持部３１によって挟持された太陽電池モジュール１の基底部１２４の下面と、隣接する太陽電池モジュール１の基底部１２４の下面が同一平面上にくることになり、隣接する太陽電池モジュール１同士の上面も面一となる。
【００４９】
一方、第１太陽電池モジュールに取り付けられた差込型ブラケット３は、図６に示されるように、フランジ３４が架台２に取り付けられたカバー２５の上面部２５３の下面に差し込まれ、取り付けられた太陽電池モジュール１の上方への動きを規制する。
【００５０】
続いて、固定型ブラケット４について、図７〜図１１を参照して説明する。
固定型ブラケット４は、太陽電池モジュール１を架台２上に設置するための金具であって、太陽電池モジュール１の水上側の基底部１２４に取り付けられる。
【００５１】
この固定型ブラケット４も差込型ブラケット３と同様、例えば、アルミニウム、又はアルミニウムを主材料とする合金等の押出成型によって作製される。また同様に、その幅は、太陽電池モジュール１の基底部１２４の長手方向の幅よりも十分に小さく、少なくとも、架台２の開口部２４の開口幅（載置部２３間の幅）以下に形成されている。
【００５２】
この固定型ブラケット４は、図７に示されるように、太陽電池モジュール１の基底部１２４を、断面略Ｕ字状の掛着溝４２内に挟持する挟持部４１と、挟持部４１の外側端部から上方に直角に立ち上がった掛止片４３と、挟持部４１の端部から外側に延び出した板状のフランジ４４とからなる。
【００５３】
挟持部４１は、太陽電池モジュール１の基底部１２４を上面側から挟持する上面側挟持部４１１、上面側挟持部４１１の一側縁部から下方に延び出し、内側の面が掛着溝４２の溝底部を形成する支持部４１２、及び、支持部４１２の一側縁部から水平に延び出し、太陽電池モジュール１の基底部１２４を下面側から挟持する下面側挟持部４１３から構成される。
【００５４】
さらに、上面側挟持部４１１には、一側縁部近傍から下方に突出して形成された当接部４１１ａが形成され、下面側挟持部４１３には、一側縁部近傍から上方に突出して形成された当接部４１３ａが形成されている。
この当接部４１１ａ、４１３ａは夫々、太陽電池モジュール１の基底部１２４に、上面又は下面から当接し、これにより太陽電池モジュール１の基底部１２４が挟持される。
【００５５】
掛止片４３は、下面側挟持部４１３の端部から上方に直角に立ち上がって形成されている。さらに、この掛止片４３は、固定型ブラケット４を太陽電池モジュー１に取り付けた状態を表す図８又は図９に示されるように、太陽電池モジュール１の支持部１２３と平行に形成されており、当該支持部１２３に外側から隙間なく当接する。これにより、太陽電池モジュール１の支持部１２３に掛止片４３が掛止して、固定型ブラケット４の水下側方向への脱離が防がれる。
【００５６】
なお、この掛止片４３は少なくともその高さが、太陽電池モジュール１の支持部１２３の高さ以下であることが好ましく、この場合には、基底部１２４に固定型ブラケット４を取り付けた際、掛止片４３が、太陽電池モジュール１の上面よりも高い位置に飛び出ることがない。
また、この掛止片４３の厚みは、隣接する太陽電池モジュール１間の隙間を形成するため、太陽電池モジュール１に掛止するのに十分な強度を担保できる厚さを確保した上で、出来る限り薄く構成するとよい。
【００５７】
フランジ４４は、太陽電池モジュール１を敷設する際、架台２に固定される部分である。
このフランジ４４には、図１０に基づいて後述する固定金具２６に形成されたボルト孔２６１ａに対応して、中央部にボルト孔４４ａが形成されている。
【００５８】
以上の構成を有する固定型ブラケット４において、太陽電池モジュール１の基底部１２４を挟持する挟持部４１の隙間は、太陽電池モジュールの基底部１２４の厚さよりも僅かに大きく形成されている。これにより、基底部１２４の上下面が挟持部４１の上下面に隙間なく当接し、固定型ブラケット４は、上下方向に動くことなく、太陽電池モジュール１に取り付けられる。
【００５９】
また、掛着溝４２の溝奥から掛止片４３までの長さは、太陽電池モジュール１の基底部１２４の幅よりも僅かに大きく形成されている。これにより、掛着溝４２内に掛着させた太陽電池モジュール１の基底部１２４は、両端部が夫々、掛止片４３と掛着溝４２の溝奥とに当接し、固定型ブラケット４が、太陽電池モジュール１の水下側方向あるいは水上側方向に動くことなく、太陽電池モジュール１に取り付けられる。
【００６０】
ここで、固定金具２６は、固定型ブラケット４を架台２上に固定するための金具であって、一枚の金属板を断面略コの字状に折曲して形成したものである。
この固定金具２６は、図１０（ａ）に示されるように、固定型ブラケット４のボルト孔４４ａに対応したボルト孔２６１ａが形成された底面部２６１と、底面部２６１の両側縁から直角に立ち上がった一対の側面部２６２とからなる。
【００６１】
底面部２６１の幅は、図１０（ｂ）に示されるように、架台２の開口部２４の幅（載置部２３間の幅）よりも大きく、且つ、架台２の中空部あるいは底面部２１の幅よりも小さく構成されている。また、側面部２６２の高さは、固定型ブラケット４が取り付けられた太陽電池モジュール１が架台２上に載置された際における、固定型ブラケット４の、架台２の開口部２４から中空部内へ入り込んだ部分の深さと等しく構成されている。
【００６２】
固定金具２６により、架台２上に載置した太陽電池モジュール１を架台２に固定する際には、図１１に示されるように、架台２の中空部内に、開口部を上方に向けて配置された固定金具２６のボルト孔２６１ａと、固定型ブラケット４のボルト孔４４ａとにボルト２６１ｂを挿通させ、ナット、あるいはボルト孔２６１ａとボルト孔４４ａの内周面に予め形成された雌ネジに螺合させる。
これにより、固定金具２６の側面部２６２の上側端部が架台２の載置部２３の下面に圧接する。その結果、太陽電池モジュール１は、側面部２６２と載置部２３間の摩擦力により、上方向、及び、水下側方向あるいは水上側方向（連設方向ｘ）の動きが規制され、架台２上に固定される。
なお、本実施形態において、固定金具２６と架台２とは別の部材としたが、固定金具２６と架台２とが一体的に構成された１つの部材であってもよい。さらに、固定金具２６と架台２とが一体的に構成される場合、固定金具２６の形状は断面略コの字状とは限らず、平板状の固定金具が架台２の側面部２２に固定されている構成であってもよい。
【００６３】
以上の構成からなる差込型ブラケット３と固定型ブラケット４は、太陽電池モジュール１のフレーム１２の製造時に、フレーム１２を構成する四つの棒状のフレーム構成部材の端部同士を連結する前に予め、水下側の基底部１２４、あるいは水上側の基底部１２４に差し込んでおくことで、基底部１２４に取り付けることができる。
【００６４】
このように太陽電池モジュール１の基底部１２４に取り付けられた差込型ブラケット３と固定型ブラケット４は、掛着溝３２、４２内に掛着させた基底部１２４に沿って摺動させることができる。これにより、架台２上に太陽電池モジュール１を設置する際、架台２の配置に応じた所定の位置に、差込型ブラケット３と固定型ブラケット４を移動させることができ、施工が便利である。
具体的に説明すると、架台２を家屋の屋根等に設置する場合、架台２は垂木等の構造が強固な部材に取付けられる。ここで、屋根を構成する垂木等の位置は、屋根ごとに異なるため、結果、架台２の設置間隔も屋根ごとに異なることになる。ここで、本発明の差込型ブラケット３および固定型ブラケット４は、太陽電池モジュール１の基底部１２４に沿って摺動可能であるため、架台２の設置間隔が変動しても、太陽電池モジュール１を架台２に取付け可能となる。
【００６５】
続いて、差込型ブラケット３と固定型ブラケット４とが取り付けられた太陽電池モジュール１を順次、架台２に取り付ける工程について説明する。
まず、第１太陽電池モジュール１を架台２に取り付ける。
この工程ではまず、第１太陽電池モジュール１に取り付けられている差込型ブラケット３と固定型ブラケット４を夫々、太陽電池モジュール１の基底部１２４に沿って摺動させ、架台２と重なる位置にもってくる。
【００６６】
それから、図１２（ａ）に示されるように、水下側において、差込型ブラケット３のフランジ３４を、架台２の開口部２４から、カバー２５の上面部２５３の下面に差し込むようにして、太陽電池モジュール１を架台２上に載置する。
この際、水上側においては、固定型ブラケット４のフランジ４４を、架台２の開口部２４から、架台２の中空部内に差し入れる。
なお、出来る限り太陽電池モジュール１を敷き詰めるため、差込型ブラケット３の掛止片３３を、カバー２５の掛止部２５４に当接させ、太陽電池モジュール１を前方に詰めておくとよい。
【００６７】
次に、図１２（ｂ）に示されるように、固定型ブラケット４のフランジ４４に形成されているボルト孔４４ａと、固定金具２６のボルト孔２６１ａにボルト２６１ｂを挿通させ、ナット等で留める。
【００６８】
ここで、固定型ブラケット４による固定の工程の詳細を図１３に示す。
まず予め、図１３（ａ）に示されるように、架台２の中空部内に、開口部２４から固定金具２６を横倒しにする等して差し入れ、固定型ブラケット４のボルト孔４４ａと固定金具２６のボルト孔２６１ａとが対応するように固定金具２６を配しておく。
【００６９】
そして、太陽電池モジュール１が架台２上に載置されると、図１３（ｂ）に示されるように、太陽電池モジュール１に取り付けられた固定型ブラケット４は、その一部が、架台２の中空部内に開口部２４から差し入れられる。これにより、固定型ブラケット４のフランジ４４の下面が、固定金具２６の底面部２６１に当接すると共に、固定型ブラケット４のボルト孔４４ａと、固定金具２６のボルト孔２６１ａとが重なる。
【００７０】
さらに、図１３（ｃ）に示されるように、固定型ブラケット４のボルト孔４４ａと、固定金具２６のボルト孔２６１ａとにボルト２６１ｂを挿通させ、ナット等で螺合させる。
なお、ボルト２６１ｂによる固定は、ナットによるほか、固定型ブラケット４のボルト孔４４ａと固定金具２６のボルト孔２６２の内周面に予め形成しておいた雌ネジに螺合させるようにしてもよい。
【００７１】
以上の工程を経ると、図１２（ｃ）に示されるように、架台２上に載置された第１太陽電池モジュール１は、水下側において、差込型ブラケット３のフランジ３４がカバー２５の上面部２５３に下面側から当接して上方への動きが規制される。一方、水上側においては、固定型ブラケット４のフランジ４４が固定金具２６によって架台２に固定されて、水平方向及び上方への動きが規制される。
また、固定型ブラケット４が、ボルト２６１ｂによって固定金具２６に締め付けられることにより、当接部４１３ａを支点として、当接部４１１ａが基底部１２４に押し付けられる。これにより、当接部４１１ａと基底部１２４との間の摩擦力が増加し、結果、固定型ブラケット４に対する太陽電池モジュール１の摺動が抑制される。
【００７２】
第１太陽電池モジュール１を架台２に取り付けると、今度は、第１太陽電池モジュール１に第２〜第ｎ太陽電池モジュール１を順次、連設させていく。
第２〜第ｎ太陽電池モジュール１の取付工程では、各太陽電池モジュール１に取り付けられている固定型ブラケット４を、太陽電池モジュール１の基底部１２４に沿って摺動させ、架台２と重なる位置にもってくる一方、差込型ブラケット３は、架台２の外側近傍にもってくる。
【００７３】
まず、第２太陽電池モジュール１について、図１４（ａ）に示されるように、水下側において、差込型ブラケット３のフランジ３４を、水下側に隣接する第１太陽電池モジュール１の基底部１２４の下面側に差し込むようにして架台２上に載置する。
この際、水上側においては、固定型ブラケット４のフランジ４４を、架台２の開口部２４から、架台２の中空部内に差し入れる。
なお、第１太陽電池モジュール１を取り付けた際と同様、出来る限り太陽電池モジュール１を敷き詰めるため、差込型ブラケット３の掛止片３３を、第１太陽電池モジュール１の支持部１２３に当接させ、太陽電池モジュール１を水下方向に詰めておくとよい。
【００７４】
次に、図１４（ｂ）に示されるように、固定型ブラケット４のフランジ４４に形成されているボルト孔４４ａと、固定金具２６のボルト孔２６１ａにボルト２６１ｂを挿通させ、ナット等で留める。
なお、固定金具２６により固定型ブラケット４を架台２に固定する工程の詳細は、第１太陽電池モジュール１におけるのと同様である。
【００７５】
以上の工程を経ると、図１４（ｃ）に示されるように、架台２上に載置された第２太陽電池モジュール１は、水下側において、差込型ブラケット３のフランジ３４が、水下側に隣接する第１太陽電池モジュール１の基底部１２４の下面に当接して上方への動きが規制される。一方、水上側においては、固定型ブラケット４のフランジ４４が固定金具２６により架台２に固定されて、水平方向及び上方への動きが規制される。
また、ボルト２６１ｂが固定金具２６に締め付けられることにより、固定型ブラケット４に対する太陽電池モジュール１の摺動が抑制される。
【００７６】
第２太陽電池モジュール１の設置と同様に、第ｎ太陽電池モジュール１まで順次、太陽電池モジュール１を架台２に取り付けることで、全ての太陽電池モジュール１の設置が完了する。
以上の本実施形態によれば、複数の太陽電池モジュール１を敷き詰めて敷設することができる。また、差込型ブラケット３と固定型ブラケット４を、太陽電池モジュール１の基底部１２４に沿って摺動させることができるので、敷設面毎に架台２の配置が異なる場合でも対応が可能である。
【００７７】
次に、本発明の別の実施形態に係る差込型ブラケット５と固定型ブラケット６について、図を参照して説明する。なお、本実施形態に係る差込型ブラケット５と固定型ブラケット６は夫々、既述した差込型ブラケット３と固定型ブラケット４の変形例であり、太陽電池モジュール１に対する取付位置は、図１における差込型ブラケット３と固定型ブラケット４の場合と同様である。
本実施形態において、差込型ブラケット５と固定型ブラケット６は共に、係合可能な二つの構成部材を係合してなる。
【００７８】
図１５に示される差込型ブラケット５は、既述した差込型ブラケット３と同様、太陽電池モジュール１を架台２上に設置するための金具であって、太陽電池モジュール１の水下側の基底部１２４に取り付けられる。
また、差込型ブラケット３と同様に、その幅が、太陽電池モジュール１の基底部１２４の長手方向の幅よりも十分に小さく、少なくとも、架台２の開口部２４の幅（載置部２３間の幅）以下に形成されている。
【００７９】
この差込型ブラケット５は、太陽電池モジュール１の基底部１２４を、断面略Ｕ字状の掛着溝５２内に挟持する挟持部５１と、挟持部５１の外側端部から上方に直角に立ち上がった板状の掛止片５３と、挟持部５１の端部から外側に延び出した板状のフランジ５４とを備える。
ここで、挟持部５１、掛着溝５２、掛止片５３、フランジ５４、及び、フランジ５４の端部に形成されたガイド部５４ａの構成は、既述した差込型ブラケット３が備える挟持部３１、掛着溝３２、掛止片３３、フランジ３４、及び、フランジ３４の端部に形成されたガイド部３４ａと同様である。
【００８０】
一方において、本実施形態に係る差込型ブラケット５は、既述した差込型ブラケット３とは異なり、図１５に示されるように、掛着部材７Ａと掛止部材７Ｂとが一体的に係合して構成される。
この掛着部材７Ａと掛止部材７Ｂはいずれも、アルミニウムの押出成型等により作製され、互いと係合するための係合構造を備えている。
なお、掛着部材７Ａは後述のとおり、固定型ブラケット６にも共通して用いられ、掛止部材７Ｃと係合して固定型ブラケット６を構成する。
【００８１】
図１６に、差込型ブラケット５を構成する掛着部材７Ａを示す。
掛着部材７Ａは、図１６（ａ）に示されるように、挟持部５１の上面側を構成する上面側挟持部７１１、上面側挟持部７１１の一側縁部近傍から下方に突出した当接部７１１ａ、上面側挟持部７１１の一側縁部から下方に延び出した支持部７１２、及び、支持部７１２の一側縁部から、上面挟持部７１１と平行に延び出した底面部７１３とからなる。
【００８２】
支持部７１２及び底面部７１３の内側には、掛止部材７Ｂの係合突条７２２及び係合片７２３（図１７参照）と夫々係合する係合溝７１４、７１５が形成されている。
なお、係合溝７１４、７１５は、後述する掛止部材７Ｃの係合突条７３２及び係合片７３３（図２１参照）とも係合するように形成されている。
【００８３】
ここで、係合溝７１４は、支持部７１２から水平方向に突出して形成された溝壁７１４ａと、溝壁７１４ａの下方において、支持部７１２から鉤形形状に突出して形成された溝壁７１４ｂの内側に、上方に開口して形成されている。
また、係合溝７１５は、底面部７１３から上方に突出して形成された一対の溝壁７１５ａ、７１５ｂの内側に、上方に開口して形成されている。
【００８４】
また、図１６（ａ）および図１６（ｂ）に示されるように、底面部７１３の側縁を構成する側縁部７１６には、掛止部材７Ｂと係合する側に向かって上方に突出した係合突起７１６ａが形成されている。
この係合突起７１６ａは、底面部７１３あるいは側縁部７１６の幅方向の中央の位置に形成されており、掛着部材７Ａと掛止部材７Ｂとが組み合わさった際に、後述する掛止部材７Ｂの係合凹部７２６ａと係合する。
なお、係合突起７１６ａは、後述する掛止部材７Ｃの係合凹部７３７ａ（図２１参照）とも係合するように形成されている。
【００８５】
図１７に、差込型ブラケット５を構成する掛止部材７Ｂを示す。
掛止部材７Ｂは、図１７（ａ）に示されるように、挟持部５１の下面側を構成する下面側挟持部７２１、下面側挟持部７２１の一側縁部近傍から上方に突出した当接部７２１ａ、下面側挟持部７２１の一側縁部から下方に突出した係合突条７２２、下面側挟持部７２１の中央部近傍から下方に延び出した板状の係合片７２３、下面側挟持部７２１の一側縁部から真っ直ぐに延び出したフランジ５４、下面側挟持部７２１の一側縁部から上方に直角に立ち上がった掛止片５３、下面側挟持部７２１の一側縁部あるいは掛止片５３の下面から斜め下方に延び出した支持部７２４、及び、支持部７２４の一側縁部と係合片７２３との間に掛け渡された掛架部７２５からなる。
【００８６】
係合突条７２２及び係合片７２３は夫々、掛着部材７Ａの係合溝７１４、７１５（図１６参照）に対応して形成されており、これら係合溝７１４、７１５と係合することにより、掛着部材７Ａと掛止部材７Ｂとが一体的に差込型ブラケット５を構成する。
【００８７】
掛架部７２５の中央には、掛架部７２５の幅方向に沿って、掛合する掛着部材７Ａ側に向かって斜め下方に突出した突条７２６が形成されている。この突条７２６の中央には、図１７（ｂ）に示されるように、掛着部材７Ａと係合するための窪みである係合凹部７２６ａが形成されている。
この係合凹部７２６ａは、掛着部材７Ａの係合突起７１６ａに対応して突条７２６の中央に形成されており、掛着部材７Ａと掛止部材７Ｂとが組み合わさった際に、掛着部材７Ａの係合突起７１６ａと係合する。
【００８８】
次に、以上において説明した掛着部材７Ａと掛止部材７Ｂとを係合させて差込型ブラケット５を構成すると同時に、差込型ブラケット５を太陽電池モジュール１の基底部１２４に取り付ける工程について、図１８及び図１９を参照して説明する。
まず、図１８（ａ）、図１９（ａ）に示されるように、太陽電池モジュール１の水下側の基底部１２４の上面に、掛着部材７Ａの上面挟持部７１１を掛着させる。
【００８９】
それから、図１８（ｂ）、図１９（ｂ）に示されるように、基底部１２４に掛着させた掛着部材７Ａから離れたところで、太陽電池モジュール１の水下側の基底部１２４の下面に、掛止部材７Ｂの下面側挟持部７２１を当接させた上、掛着部材７Ａと掛止部材７Ｂを、互いに近づくに向きにスライドさせる。
【００９０】
これにより、図１８（ｃ）、図１９（ｃ）に示されるように、掛着部材７Ａの係合溝７１４、７１５と、掛止部材７Ｂの係合突条７２２及び係合片７２３とが夫々係合し合い、差込型ブラケット５が構成されると共に、太陽電池モジュール１の基底部１２４に取り付けられる。
なお、この際、掛着部材７Ａの係合突起７１６ａが、掛止部材７Ｂの係合凹部７２６ａに係合し、掛着部材７Ａと掛止部材７Ｂとが、夫々の幅方向に脱離不能に結合する。
【００９１】
図２０に示される固定型ブラケット６は、既述した固定型ブラケット４と同様、太陽電池モジュール１を架台２上に設置するための金具であって、太陽電池モジュール１の水上側の基底部１２４に取り付けられる。
この固定型ブラケット６は、固定型ブラケット４と同様に、その幅が、太陽電池モジュール１の基底部１２４の長手方向の幅よりも十分に小さく、少なくとも、架台２の開口部２４開口幅（載置部２３間の幅）以下に形成されている。
【００９２】
また、この固定型ブラケット６は、太陽電池モジュール１の基底部１２４を、断面略Ｕ字状の掛着溝６２内に挟持する挟持部６１と、挟持部６１の外側端部から上方に直角に立ち上がった掛止片６３と、挟持部６１の端部から外側に延び出した板状のフランジ６４とを備える。
ここで、挟持部６１、掛着溝６２、掛止片６３、フランジ６４、及び、フランジ６４に形成されたボルト孔６４ａの構成は、既述した固定型ブラケット４が備える挟持部４１、掛着溝４２、掛止片４３、フランジ４４、及び、フランジ４４に形成されたボルト孔４４ａと同様である。
【００９３】
一方において、本実施形態に係る固定型ブラケット６は、既述した固定型ブラケット４とは異なり、図２０に示されるように、掛着部材７Ａと掛止部材７Ｃとが係合して構成される。
掛止部材７Ｃも、掛止部材７Ｂと同様、アルミニウムの押出成型等により作製され、掛着部材７Ａと係合するための係合構造を備えている。
【００９４】
図２１に、固定型ブラケット６を構成する掛止部材７Ｃを示す。
掛止部材７Ｃは、図２１（ａ）に示されるように、挟持部６１の下面側を構成する下面側挟持部７３１、下面側挟持部７３１の一側縁部近傍から上方に突出した当接部７３１ａ、下面側挟持部７３１の一側縁部から下方に突出した係合突条７３２、下面側挟持部７３１の中央部近傍から下方に延び出した板状の係合片７３３、下面側挟持部７３１の一側縁部から上方に直角に立ち上がった掛止片６３、下面側挟持部７２１の一側縁部又は掛止片６３の下端部から下方に延び出した支持部７３４、支持部７３４の端部から、下面側挟持部７３１と平行に外側へ延び出したフランジ６４、支持部７３４の一側縁部から下面側挟持部７３１と平行に内側へ延び出した底面部７３５、底面部７３５の一側縁と係合片７３３との間に掛け渡された掛架部７３６からなる。
【００９５】
係合突条７３２及び係合片７３３は夫々、掛着部材７Ａの係合溝７１４、７１５（図１６参照）に対応して形成されており、これら係合溝７１４、７１５と係合することにより、掛着部材７Ａと掛止部材７Ｃとが一体的に固定型ブラケット６を構成する。
【００９６】
掛架部７３６の中央には、掛架部７３６の幅方向に沿って、係合する掛着部材７Ａ側に向かって斜め下方に突出した突条７３７が形成されている。この突条７３７の中央には、図２１（ｂ）に示されるように、掛着部材７Ａと係合するための窪みである係合凹部７３７ａが形成されている。
この係合凹部７３７ａは、掛着部材７Ａの係合突起７１６ａに対応して突条７３７の中央に形成されており、掛着部材７Ａと掛止部材７Ｂとが組み合わさった際に、掛着部材７Ａの係合突起７１６ａと係合する。
【００９７】
次に、以上において説明した掛着部材７Ａと掛止部材７Ｃとを係合させて固定型ブラケット６を構成すると同時に、固定型ブラケット６を太陽電池モジュール１の基底部１２４に取り付ける工程について、図２２及び図２３を参照して説明する。
まず、図２２（ａ）、図２３（ａ）に示されるように、太陽電池モジュール１の水上側の基底部１２４の上面に、掛着部材７Ａの上面挟持部７１１を掛着させる。
【００９８】
それから、図２２（ｂ）、図２３（ｂ）に示されるように、基底部１２４に掛着させた掛着部材７Ａから離れたところで、太陽電池モジュール１の水上側の基底部１２４の下面に、掛止部材７Ｃの下面側挟持部７３１を当接させた上、掛着部材７Ａと掛止部材７Ｃを、互いに近づくに向きにスライドさせる。
【００９９】
これにより、図２２（ｃ）、図２３（ｃ）に示されるように、掛着部材７Ａの係合溝７１４、７１５と、掛止部材７Ｂの係合突条７３２及び係合片７３３とが夫々係合し合い、固定型ブラケット６が構成されると共に、太陽電池モジュール１の基底部１２４に取り付けられる。
なお、この際、掛着部材７Ａの係合突起７１６ａが掛止部材７Ｃの係合凹部７３７ａに係合し、掛着部材７Ａと掛止部材７Ｃとが、夫々の幅方向に脱離不能に結合する。
【０１００】
続いて、差込型ブラケット５と固定型ブラケット６とが取り付けられた太陽電池モジュール１を順次、架台２上に取り付ける工程について説明する。
まず、第１太陽電池モジュール１を架台２に取り付ける。
この工程ではまず、第１太陽電池モジュール１に取り付けられている差込型ブラケット５と固定型ブラケット６を夫々、太陽電池モジュール１の基底部１２４に沿って摺動させ、架台２と重なる位置にもってくる。
【０１０１】
それから、図２４（ａ）に示されるように、水下側において、差込型ブラケット５のフランジ５４を、架台２の開口部２４から、カバー２５の上面部２５３の下面に差し込むようにして、太陽電池モジュール１を架台２上に載置する。
この際、水上側においては、固定型ブラケット６のフランジ６４を、架台２の開口部２４から、架台２の中空部内に差し入れる。
なお、出来る限り太陽電池モジュール１を敷き詰めるため、差込型ブラケット５の掛止片５３を、カバー２５の掛止部２５４に当接させ、太陽電池モジュール１を前方に詰めておくとよい。
【０１０２】
次に、図２４（ｂ）に示されるように、固定型ブラケット６のフランジ６４に形成されているボルト孔６４ａと、固定金具２６のボルト孔２６１ａにボルト２６１ｂを挿通させ、ナット等で留める。
【０１０３】
ここで、固定型ブラケット６による固定の工程の詳細を図２５に示す。
まず予め、図２５（ａ）に示されるように、架台２の中空部内に、開口部２４から固定金具２６を横倒しにする等して差し入れ、固定型ブラケット６のボルト孔６４ａと固定金具２６のボルト孔２６１ａとが対応するように固定金具２６を配しておく。
【０１０４】
そして、太陽電池モジュール１が架台２上に載置されると、図２５（ｂ）に示されるように、太陽電池モジュール１に取り付けられた固定型ブラケット６は、その一部が、架台２の中空部内に開口部２４から差し入れられる。これにより、固定型ブラケット６のフランジ６４の下面が、固定金具２６の底面部２６１に当接すると共に、固定型ブラケット６のボルト孔６４ａと、固定金具２６のボルト孔２６１ａとが重なる。
【０１０５】
さらに、図２５（ｃ）に示されるように、固定型ブラケット６のボルト孔６４ａと、固定金具２６のボルト孔２６１ａとにボルト２６１ｂを挿通させ、ナット等で螺合させる。
なお、ボルト２６１ｂによる固定は、ナットによるほか、固定型ブラケット６のボルト孔６４ａと固定金具２６のボルト孔２６１ａの内周面に予め形成しておいた雌ネジに螺合させるようにしてもよい。
【０１０６】
以上の工程を経ると、図２４（ｃ）に示されるように、架台２上に載置された第１太陽電池モジュール１は、水下側において、差込型ブラケット５のフランジ５４がカバー２５の上面部２５３に当接して上方への動きが規制される。一方、水上側においては、固定型ブラケット６のフランジ６４が固定金具２６によって架台２に固定されて、水平方向及び上方への動きが規制される。
また、固定型ブラケット４と同様に、固定型ブラケット６は、ボルト２６１ｂによって固定金具２６に締め付けられることにより、当接部７１１ａと太陽電池モジュール１の基底部１２４との間の摩擦力が増加し、結果、固定型ブラケット６に対する太陽電池モジュール１の摺動が抑制される。
【０１０７】
第１太陽電池モジュール１を架台２上に取り付けると、今度は、第１太陽電池モジュール１に第２〜第ｎ太陽電池モジュール１を順次、連設させていく。
第２〜第ｎ太陽電池モジュール１の取付工程では、各太陽電池モジュール１に取り付けられている固定型ブラケット６を、太陽電池モジュール１の基底部１２４に沿って摺動させ、架台２と重なる位置にもってくる一方、差込型ブラケット５は、架台２の外側近傍にもってくる。なお、差込型ブラケット３と同様に、差込型ブラケット５を、架台２の内側近傍に配置してもよい。
【０１０８】
まず、第２太陽電池モジュール１について、図２６（ａ）に示されるように、水下側において、差込型ブラケット５のフランジ５４を、水下側に隣接する第１太陽電池モジュール１の基底部１２４の下面側に差し込むようにして架台２上に載置する。
この際、水上側においては、固定型ブラケット６のフランジ６４を、架台２の開口部２４から、架台２の中空部内に差し入れる。
なお、第１太陽電池モジュール１を取り付けた際と同様、出来る限り太陽電池モジュール１を敷き詰めるため、差込型ブラケット５の掛止片５３を、第１太陽電池モジュール１の支持部１２３に当接させ、太陽電池モジュール１を水下方向に詰めておくとよい。
【０１０９】
次に、図２６（ｂ）に示されるように、固定型ブラケット６のフランジ６４に形成されているボルト孔６４ａと、固定金具２６のボルト孔２６１ａにボルト２６１ｂを挿通させ、ナット等で留める。
なお、固定金具２６により固定型ブラケット６を架台２に固定する工程の詳細は、第１太陽電池モジュール１におけるのと同様である。
【０１１０】
以上の工程を経ると、図２６（ｃ）に示されるように、架台２上に載置された第２太陽電池モジュール１は、水下側において、差込型ブラケット５のフランジ５４が、水下側に隣接する第１太陽電池モジュール１の基底部１２４の下面に当接して上方への動きが規制される。一方、水上側においては、固定型ブラケット６のフランジ６４が固定金具２６により架台２に固定されて、水平方向及び上方への動きが規制される。
また、固定型ブラケット４と同様に、固定型ブラケット６は、ボルト２６１ｂによって固定金具２６に締め付けられることにより、当接部７１１ａと太陽電池モジュール１の基底部１２４との間の摩擦力が増加し、結果、固定型ブラケット６に対する太陽電池モジュール１の摺動が抑制される。
【０１１１】
第２太陽電池モジュール１の設置と同様に、第ｎ太陽電池モジュール１まで順次、架台２に取り付けることで、全ての太陽電池モジュール１の設置が完了する。
以上の本実施形態によれば、施工の際に、差込型ブラケット５及び固定型ブラケット６を太陽電池モジュール１に取り付ければよい。そのため、太陽電池モジュール１の搬送や梱包等の際に、差込型ブラケット５や固定型ブラケット６が邪魔にならない。また、太陽電池モジュール１を設置する架台２の数に応じて適宜、差込型ブラケット５や固定型ブラケット６を取り付けることができるので便利である。
【０１１２】
続いて、本発明のさらに別の実施形態に係る差込型ブラケット８と固定型ブラケット９について、図を参照して説明する。なお、本実施形態に係る差込型ブラケット８と固定型ブラケット９は夫々、既述した差込型ブラケット３、５と固定型ブラケット４、６の変形例であり、太陽電池モジュール１に対する取付位置は、図１における差込型ブラケット３と固定型ブラケット４の場合と同様である。
本実施形態において、差込型ブラケット８と固定型ブラケット９は共に、係合可能な二つの構成部材からなる。
【０１１３】
図２７に示される差込型ブラケット８は、既述した差込型ブラケット３、５と同様、太陽電池モジュール１を架台２上に設置するための金具であって、太陽電池モジュール１の水下側の基底部１２４に取り付けられる。
この差込型ブラケット８は、差込型ブラケット３、５と同様に、その幅が、太陽電池モジュール１の基底部１２４の長手方向の幅よりも十分に小さく、少なくとも、架台２の開口部２４の開口幅（載置部２３間の幅）以下に形成されている。
【０１１４】
また、この差込型ブラケット８は、太陽電池モジュール１の基底部１２４を、断面略Ｕ字状の掛着溝８２内に挟持する挟持部８１と、挟持部８１の外側端部から上方に直角に立ち上がった板状の掛止片８３と、挟持部８１の端部から外側へ水平に延び出した板状のフランジ８４とを備える。
なお、挟持部８１、掛着溝８２、掛止片８３、フランジ８４、及び、フランジ８４の端部に形成されたガイド部８４ａの構成は、既述した差込型ブラケット３、５が備える挟持部３１、５１、掛着溝３２、５２、掛止片３３、５３、フランジ３４、５４、及び、フランジ３４、５４の端部に形成されたガイド部３４ａ、５４ａと同様である。
【０１１５】
一方において、本実施形態に係る差込型ブラケット８は、図２７に示されるように、掛着部材１０Ａと掛止部材１０Ｂとが係合して構成される。
掛着部材１０Ａと掛止部材１０Ｂはいずれも、アルミニウムの押出成型等により作製され、互いと係合するための係合構造を備えている。
なお、掛着部材１０Ａは後述のとおり、固定型ブラケット９にも共通して用いられ、掛止部材１０Ｃと係合して固定型ブラケット９を構成する。
【０１１６】
図２８に、差込型ブラケット８を構成する掛着部材１０Ａを示す。
掛着部材１０Ａは、図２８（ａ）に示されるように、挟持部８１の上面側を構成する上面側挟持部１０１１、上面側挟持部１０１１の一側縁部近傍から下方に突出した当接部１０１１ａ、上面側挟持部１０１１の一側縁部から下方に延び出した支持部１０１２、支持部１０１２の一側縁部から、上面挟持部１０１１と平行に延び出した底面部１０１３、支持部１０１３の上面側挟持部１０１１近傍から、上面側挟持部１０１１と平行に延び出した下面側挟持部１０１４、及び、下面側挟持部１０１４の一側縁部近傍から上方に突出した当接部１０１４ａ、及び、底面部１０１３の一側縁部と下面側挟持部１０１４の一側縁部とを繋ぐ支持部１０１５からなる。
【０１１７】
支持部１０１５の外側には、図２９に基づいて後述する、掛止部材１０Ｂの係合溝１０２２ｂ、１０２３ｂ（図２９参照）と夫々係合する係合片１０１６ａ、１０１７ａが上下に、掛止部材１０Ｂと係合する側に向かって、鉤形形状に突出して形成されている。
また、この係合片１０１６ａ、１０１７ａと支持部１０１５の間には夫々、掛止部材１０Ｂの係合片１０２２ａ、１０２３ａ（図２９参照）と係合する係合溝１０１６ｂ、１０１７ｂが、上方に開口して形成されている。
なお、係合溝１０１６ｂ、１０１７ｂは、後述する掛止部材１０Ｃの係合片１０３２ａ、１０３３ａ（図３１参照）とも係合するように形成されている。
【０１１８】
また、図２８（ｂ）に示されるように、底面部１０１３の側縁部のうち、掛止部材１０Ｂと係合する側には、掛止部材１０Ｂの係合突起１０２４（図２９参照）と係合する係合凹部１０１８が形成されている。
この係合凹部１０１８は、底面部１０１３の幅方向の一端側に偏った位置に形成されている。また、係合凹部１０１８の端部のうち、底面部１０１３の幅方向の端部に近い端部から、底面部１０１３の端部までが斜めに切り欠かれている。この切り欠かれた部分は、掛着部材１０Ａと掛止部材１０Ｂを、幅方向に互いにスライドさせて係合させる際、係合突起１０２４を係合凹部１０１８にスムーズに係合させるためのガイド部１０１８ａを構成する。
なお、係合凹部１０１８は、後述する掛止部材１０Ｃの係合突起１０３４（図３１参照）とも係合するように形成されている。
【０１１９】
図２９に、差込型ブラケット８を構成する掛止部材１０Ｂを示す。
掛止部材１０Ｂは、図２９（ａ）に示されるように、フランジ８４、フランジ８４の下面から下方に延び出した支持部１０２１、及び、フランジ８４の一端部から上方に立ち上がった掛止片８３からなる。
【０１２０】
掛止片８３の下方には、掛着部材１０Ａの係合溝１０１６ｂと係合する係合片１０２２ａが下方に延び出して形成されている。
また、支持部１０２１の中央部近傍からは、掛着部材１０Ａの係合溝１０１７ｂと係合する係合片１０２３ａが、掛着部材１０Ａと係合する側に向かって、鉤形形状に突出して形成されている。
この係合片１０２２ａ、１０２３ａと支持部１０２１の間には夫々、掛着部材１０Ａの係合片１０１６ａ、１０１７ａと係合する係合溝１０２２ｂ、１０２３ｂが下方に開口して形成されている。
【０１２１】
そして、掛止部材１０Ｂの係合片１０２２ａ、１０２３ａを夫々、掛着部材１０Ａの係合溝１０１６ｂ、１０１７ｂと係合させると共に、掛止部材１０Ｂの係合溝１０２２ｂ、１０２３ｂに、掛着部材１０Ａの係合片１０１６ａ、１０１７ａを係合させることにより、掛着部材１０Ａと掛止部材１０Ｂとが一体的に差込型ブラケット８を構成する。
【０１２２】
支持部１０２１の一側縁部には、図２９（ｂ）に示されるように、掛着部材１０Ａと係合する側に向かって、係合突起１０２４が突出して形成されている。
この係合突起１０２４は、掛着部材１０Ａの係合凹部１０１８に対応して、支持部１０２１の幅方向の一端部側に偏って形成されている。
【０１２３】
以上において説明した掛着部材１０Ａと掛止部材１０Ｂを夫々、互いと係合させて差込型ブラケット８を構成させると共に、太陽電池モジュール１の水下側の基底部１２４に取り付ける工程は、既述した差込型ブラケット５の場合と同様である。
即ち、掛着部材１０Ａの掛着溝８２内に、太陽電池モジュール１の水下側の基底部１２４を差し込むことにより、太陽電池モジュール１の基底部１２４の上面に、掛着部材１０Ａの上面挟持部１０１１を掛着させる。
【０１２４】
それから、基底部１２４に掛着させた掛着部材１０Ａから離れたところで、掛止部材１０Ｂの掛止片８３を太陽電池モジュール１の支持部１２３に当接させた上、掛着部材１０Ａと掛止部材１０Ｂを、互いに近づくに向きにスライドさせる。
これにより、掛着部材１０Ａの係合片１０１６ａ、１０１７ａ、及び係合溝１０１６ｂ、１０１７ｂが夫々、掛止部材１０Ｂの係合溝１０２２ｂ、１０２３ｂ、及び係合片１０２２ａ、１０２３ａと係合し合い、差込型ブラケット８が構成されると共に、太陽電池モジュール１の基底部１２４に取り付けられる。
なお、この際、掛止部材１０Ｂの係合突起１０２４が、掛着部材１０Ａのガイド部１０１８ａを越えて係合凹部１０１８に係合し、掛着部材１０Ａと掛止部材１０Ｂとが、夫々の幅方向に脱離不能に結合する。
【０１２５】
図３０に示される固定型ブラケット９は、既述した固定型ブラケット４、６と同様、太陽電池モジュール１を架台２上に設置するための金具であって、太陽電池モジュール１の水上側の基底部１２４に取り付けられる。
固定型ブラケット９は、固定型ブラケット４、６と同様に、その幅が、太陽電池モジュール１の基底部１２４の長手方向の幅よりも十分に小さく、少なくとも、架台２の開口部２４開口幅（載置部２３間の幅）以下に形成されている。
【０１２６】
また、この固定型ブラケット９は、太陽電池モジュール１の基底部１２４を、断面略Ｕ字状の掛着溝９２内に挟持する挟持部９１と、挟持部９１の外側端部から上方に直角に立ち上がった掛止片９３と、挟持部９１の端部から外側に延び出した板状のフランジ９４とを備える。
なお、挟持部９１、掛着溝９２、掛止片９３、フランジ９４、及び、フランジ９４に形成されたボルト孔９４ａの構成は、既述した固定型ブラケット４、６が備える挟持部４１、６１、掛着溝４２、６２、掛止片４３、６３、フランジ４４、６４、及び、フランジ４４、６４に形成されたボルト孔４４ａ、６４ａと同様である。
【０１２７】
一方において、本実施形態に係る固定型ブラケット９は、図３０に示されるように、掛着部材１０Ａと掛止部材１０Ｃとが係合して構成される。
掛止部材１０Ｃも、掛止部材１０Ｂと同様、アルミニウムの押出成型等により作製され、掛着部材１０Ａと係合するための係合構造を備えている。
【０１２８】
図３１に、固定型ブラケット９を構成する掛止部材１０Ｃを示す。
掛止部材１０Ｃは、図３１（ａ）に示されるように、フランジ９４、フランジ９４の一側縁部から上方に立ち上がった支持部１０３１、及び、支持部１０３１の一端部から鉤形形状に屈曲して上方に延び出した掛止片９３からなる。
【０１２９】
掛止片９３の下方には、掛着部材１０Ａの係合溝１０１６ｂと係合する係合片１０３２ａが下方に延び出して形成されている。
また、支持部１０３１の中央部近傍からは、掛着部材１０Ａの係合溝１０１７ｂと係合する係合片１０３３ａが、掛着部材１０Ａと係合する側に向かって、鉤形形状に突出して形成されている。
この係合片１０３２ａ、１０３３ａと支持部１０３１の間には夫々、掛着部材１０Ａの係合片１０１６ａ、１０１７ａと係合する係合溝１０３２ｂ、１０３３ｂが下方に開口して形成されている。
【０１３０】
そして、掛止部材１０Ｃの係合片１０３２ａ、１０３３ａを夫々、掛着部材１０Ａの係合溝１０１６ｂ、１０１７ｂと係合させると共に、掛止部材１０Ｃの係合溝１０３２ｂ、１０３３ｂに、掛着部材１０Ａの係合片１０１６ａ、１０１７ａを係合させることにより、掛着部材１０Ａと掛止部材１０Ｃとが一体的に固定型ブラケット９を構成する。
【０１３１】
支持部１０３１の一側縁部には、図３１（ｂ）に示されるように、掛着部材１０Ａと係合する側に向かって、係合突起１０３４が突出して形成されている。
この係合突起１０３４は、掛着部材１０Ａの係合凹部１０１８に対応して、支持部１０３１の幅方向の一端部側に偏って形成されている。
【０１３２】
以上において説明した掛着部材１０Ａと掛止部材１０Ｃを夫々、互いと係合させて固定型ブラケット９を構成させると共に、太陽電池モジュール１の水上側の基底部１２４に取り付ける工程は、既述した固定型ブラケット６の場合と同様である。
即ち、掛着部材１０Ａの掛着溝９２内に、太陽電池モジュール１の水下側の基底部１２４を差し込むことにより、太陽電池モジュール１の基底部１２４の上面に、掛着部材１０Ａの上面挟持部１０１１を掛着させる。
【０１３３】
それから、基底部１２４に掛着させた掛着部材１０Ａから離れたところで、掛止部材１０Ｃの掛止片９３を太陽電池モジュール１の支持部１２３に当接させた上、掛着部材１０Ａと掛止部材１０Ｃを、互いに近づくに向きにスライドさせる。
これにより、掛着部材１０Ａの係合片１０１６ａ、１０１７ａ、及び係合溝１０１６ｂ、１０１７ｂが夫々、掛止部材１０Ｃの係合溝１０３２ｂ、１０３３ｂ、及び係合片１０３２ａ、１０３３ａと係合し合い、固定型ブラケット９が構成されると共に、太陽電池モジュール１の基底部１２４に取り付けられる。
【０１３４】
なお、この際、掛止部材１０Ｃの係合突起１０３４が、掛着部材１０Ａのガイド部１０１８ａを越えて係合凹部１０１８に係合し、掛着部材１０Ａと掛止部材１０Ｃとが、夫々の幅方向に脱離不能に結合する。
以上の本実施形態によっても、施工の際に、差込型ブラケット８及び固定型ブラケット９を太陽電池モジュール１に取り付ければよいため、太陽電池モジュール１の搬送や梱包等の際に、差込型ブラケット８や固定型ブラケット９が邪魔にならない。また、太陽電池モジュール１を設置する架台２の数に応じて適宜、差込型ブラケット８や固定型ブラケット９を取り付けることができるので便利である。
【０１３５】
なお、以上の本発明の実施形態においては、太陽電池モジュール１を２本の架台２で支持するものとしているが、これに限らず、３本以上の架台２で支持するものとしてもよい。この場合には、架台２の数に応じた数の差込型ブラケット３、５、８や固定型ブラケット４、６、９を用いるとよい。
【０１３６】
また、太陽電池モジュール１の基底部１２４を挟持する上面側挟持部３１１、４１１、７１１、１０１１や下面側挟持部３１３、４１３、７２１、７３１、１０１４には適宜、当接する基底部１２４の表面を保護するためのクッション材等を貼り付けておいてもよい。
このクッション材の取付例について、差込型ブラケット５及び固定型ブラケット６に応用した場合を図３２に示す。
この例では、差込型ブラケット５、固定型ブラケット６ともに、下面側挟持部７２１、７３１にクッション材７０が取り付けられている。
【０１３７】
クッション材７０は、スポンジなどの弾性基材、押圧力に対する反発力を示す樹脂やスプリングなどによって実現することができる。
また、このクッション材７０は、上面挟持部７１１や下面挟持部７２１、７３１に対して、各種の粘着テープ等によって取り付けることができる。
【０１３８】
図３２では、クッション材７０は下面側挟持部７２１、７３１に取り付けられているが、これに限らず、上面側挟持部７１１に取り付けられてもよいし、上面側挟持部７１１、及び下面側挟持部７２１、７３１の両方に取り付けられてもよい。
また、クッション材７０は、上面側挟持部７１１、下面側挟持部７２１、７３１において、太陽電池モジュール１の基底部１２４に当接する面全体に取り付けてもよいが、少なくとも、太陽電池モジュール１の基底部１２４に当接する面のうち、上面側挟持部７１１と下面側挟持部７２１、７３１によって基底部１２４を上下から直接挟み込む部分、即ち、上面側挟持部７１１の当接部７１１ａと下面側挟持部７２１、７３１とが対向する部分に取り付けるとよい。
【０１３９】
このようなクッション材７０を差込型ブラケット５あるいは固定型ブラケット６に取り付けることで、差込型ブラケット５あるいは固定型ブラケット６を太陽電池モジュール１の基底部１２４に取り付けた際、クッション材７０の反発力によって基底部１２４がほどよく挟持される。
これにより、差込型ブラケット５あるいは固定型ブラケット６を太陽電池モジュール１の基底部１２４に取り付けた状態において、太陽電池モジュール１を運搬等によって傾けたりしても、差込型ブラケット５あるいは固定型ブラケット６が、基底部１２４に沿って取付位置からずれることがない。また、差込型ブラケット５あるいは固定型ブラケット６が基底部１２４を挟持した状態において、僅かに力を加えることで、基底部１２４に沿って差込型ブラケット５あるいは固定型ブラケット６をスライドさせることができるので、取付位置を容易に調整することができる。
なお、他の差込型ブラケット３、８や固定型ブラケット４、９でも、同様の適用が可能である。
【０１４０】
また、以上の本実施形態においては、第２〜第ｎ太陽電池モジュール１において、差込型ブラケット３、５、８は、これら第２〜第ｎ太陽電池モジュール１を架台２上に載置した際、架台２の外側にくるように取り付けられたが、これに限らず、架台２と重ならない位置であれば、架台２の内側にくるように取り付けられてもよい。
【０１４１】
また、以上の実施形態においては、掛着部材７Ａと、掛止部材７Ｂあるいは掛止部材７Ｃとを係合させて一体とする際には、掛着部材７Ａの係合突起７１６ａと、掛止部材７Ｂの係合凹部７２６ａあるいは掛止部材７Ｃの係合凹部７３７ａとを係合させるものとしているが、掛着部材１０Ａと、掛止部材１０Ｂあるいは１０Ｃとを係合させて一体とするための構成と同様の構成によって係合させるものとしてもよい。即ち、掛着部材７Ａ側にガイドが設けられた係合凹部を形成すると共に、掛止部材７Ｂあるいは掛止部材７Ｃ側に係合突起を形成し、当該係合凹部と係合突起とを係合させる。
また逆に、掛着部材１０Ａと、掛止部材１０Ｂあるいは掛止部材１０Ｃとを係合させて一体とする構成についても、これを、掛着部材７Ａと、掛止部材７Ｂあるいは掛止部材７Ｃとを係合させて一体とする構成と同様の構成によって係合させるものとしてもよい。即ち、掛着部材１０Ａ側に係合突起を形成すると共に、掛止部材１０Ｂあるいは掛止部材１０Ｃ側に係合凹部を形成し、当該係合突起と係合凹部とを係合させる。
なお、係合突起７１６ａ、係合凹部７２６ａ、及び係合凹部７３７ａは夫々、側縁部７１６、突条７２６、及び突条７３７の幅方向の中央に形成しているが、夫々の位置が対応していれば、端部に形成してもよい。同様に、係合凹部１０１８、係合突起１０２４、係合突起１０３４は夫々、底面部１０１３、支持部１０２１、及び支持部１０３１の幅方向の一端側に形成しているが、夫々の位置が対応していれば、中央に形成してもよい。
【０１４２】
また、以上の本実施形態における架台２及び固定金具２６の別の例を図３３に示す。
架台２０１は、前述の架台２と同様、両端が開口した縦長中空の四角柱状に形成され、敷設面上に載置される底面部２０１１と、底面部２０１１に対して直角な一対の側面部２０１２、２０１３と、底面部２０１１と平行で、太陽電池モジュール１が載置される一対の載置部２０１４とから構成される。
また同様に、一対の載置部２０１４の間には、架台２０１の長さ方向に沿って開口部２０１５が形成されている。
【０１４３】
この例における架台２０１の一対の側面部２０１２、２０１３にはそれぞれ、固定金具２０２の係合片２０２４、２０２５が係合する係合孔２０１２ａ、２０１３ａが形成されている。
なお、係合孔２０１２ａは、固定金具２０２の係合片２０２４のサイズに対応している。
また、係合孔２０１３ａは、固定金具２０２の係合片２０２５の先端部を構成する係合爪２０２５ｂのサイズに対応している。この係合孔２０１３ａに係合片２０２５を係合させると、係合爪２０２５ｂが係合孔２０１３ａに挿し込まれる一方、係合片２０２５の基部２０２５ａは係合孔２０１３ａの縁に引っ掛かり、これにより係合孔２０１３ａに係合片２０２５が係合する。
【０１４４】
固定金具２０２は、前述の固定金具２６と同様、固定型ブラケット４、６、９を架台２０１上に固定するための金具である。
この固定金具２０２は、固定型ブラケット４、６、９のボルト孔４４ａ、６４ａ、９４ａに対応したボルト孔２０２１ａが形成された底面部２０２１と、底面部２０２１の両側縁から直角に立ち上がった側面部２０２２、２０２３とによって断面コの字状に形成されている。
【０１４５】
側面部２０２２、２０２３の長さ方向の両端部からはそれぞれ、架台２０１の係合孔２０１２ａ、２０１３ａに係合する係合片２０２４、２０２５が延び出ている。
この係合片２０２４、２０２５は、側面部２０２２、２０２３の両端部から、外側に向かって直角に折曲して形成されている。さらに係合片２０２５は、先端部を部分的に切り欠いた形状からなり、側面部２０２３の端部から延び出した基部２０２５ａと、基部２０２５ａの一端から真っ直ぐに延び出し、細い爪状に形成された係合爪２０２５ｂとから構成される。
【０１４６】
側面部２０２２には、架台２０１の側面部２０１２と向き合う外側の面に、固定金具２０２の長さ方向に沿って、四角柱状の弾性基材２０２６が取り付けられている。
弾性基材２０２６は、架台２０１に固定金具２０２が取り付けられた際、架台２０１の側面部２０１２と、固定金具２０２の側面部２０２２とによって挟み込まれ、反発力によって固定金具２０２を架台２０１の側面部２０１３側に付勢する。
【０１４７】
この弾性基材２０２６は、弾力性を有し、押圧力に対して一定の反発力を示すものであり、例えば、スポンジや樹脂、スプリングなどによって構成することができる。なお、弾性基材２０２６の形状は特に四角柱形状等に限られず、反発力を示すことができれば、各種の形状によって構成することができる。
【０１４８】
このような構成からなる架台２０１と固定金具２０２について、架台２０１に固定金具２０２を取り付けるときは、図３４に示されるように、まず架台２０１の開口部２０１５から、固定金具２０２を挿し入れる。
そして固定金具２０２を傾げ、架台２０１の係合孔２０１２ａに、固定金具２０２の係合片２０２４を係合させる。
【０１４９】
それから、弾性基材２０２６の弾性力を利用して、弾性基材２０２６を架台２０１の側面部２０１２の内側に押し付けながら固定金具２０２を水平に戻すと、架台２０１の係合孔２０１３ａと、固定金具２０２の係合片２０２５とが、互いに対応する位置にくる。
【０１５０】
ここで弾性基材２０２６の反発力を開放させると、弾性基材２０２６によって、係合片２０２５が架台２０１の側面部２０１３側に向かって付勢され、架台２０１の係合孔２０１３ａに固定金具２０２の係合片２０２５が係合させられる。なお、このとき、係合片２０２５の係合爪２０２５ｂが係合孔２０１３ａに挿し込まれると共に、係合片２０２５の基部２０２５ａが、架台２０１の側面部２０１３の内側に引っ掛かることにより、係合片２０２５が係合孔２０１３ａに係合する。
このように架台２０１と固定金具２０２を構成することで、取付工程がシンプルになって作業効率を上げることができる。
【符号の説明】
【０１５１】
１            太陽電池モジュール、      １１          太陽電池サブモジュール、
１２          フレーム、                １２ａ        条溝、
１２１        上面側挟持部、            １２２        下面側挟持部、
１２３        支持部、                  １２４        基底部、
２            架台、                    ２１          底面部、
２２          側面部、                  ２２ａ        ボルト孔、
２３          載置部、                  ２４          開口部、
２５          カバー、                  ２５１        前面部、
２５２        側面部、                  ２５２ａ      ボルト孔、
２５２ｂ      ボルト、                  ２５３        上面部、
２５４        掛止部、                  ２６          固定金具、
２６１        底面部、                  ２６１ａ      ボルト孔、
２６１ｂ      ボルト、                  ２６２        側面部、
３            差込型ブラケット、        ３１          挟持部、
３１１        上面側挟持部、            ３１１ａ      当接部、
３１２        支持部、                  ３１３        下面側挟持部、
３１３ａ      当接部、                  ３２          掛着溝、
３３          掛止片、                  ３４          フランジ、
３４ａ        ガイド部、                ４            固定型ブラケット、
４１          挟持部、                  ４１１        上面側挟持部、
４１２        支持部、                  ４１３        下面側挟持部、
４２          掛着溝、                  ４３          掛止片、
４４          フランジ、                ４４ａ        ボルト孔、
５            差込型ブラケット、        ５１          挟持部、
５２          掛着溝、                  ５３          掛止片、
５４          フランジ、                ５４ａ        ガイド部、
６            固定型ブラケット、        ６１          挟持部、
６２          掛着溝、                  ６３          掛止片、
６４          フランジ、                ６４ａ        ボルト孔、
７Ａ、        掛着部材、                ７Ｂ          掛止部材
７Ｃ          掛止部材、                ７１１        上面側挟持部、
７１１ａ      当接部、                  ７１２        支持部、
７１３        底面部、                  ７１４        係合溝、
７１４ａ、    溝壁、                    ７１４ｂ      溝壁、
７１５        係合溝、                  ７１５ａ      溝壁、
７１５ｂ      溝壁、                    ７１６        側縁部、
７１６ａ      係合突起、                ７２１        下面側挟持部、
７２１ａ      当接部、                  ７２２        係合突条、
７２３        係合片、                  ７２４        支持部、
７２５        掛架部、                  ７２６        突条、
７２６ａ      係合凹部、                ７３１        下面側挟持部、
７３１ａ      当接部、                  ７３２        係合突条、
７３３        係合片、                  ７３４        支持部、
７３５        底面部、                  ７３６        掛架部、
７３７        突条、                    ７３７ａ      係合凹部
８            差込型ブラケット、        ８１          挟持部、
８２          掛着溝、                  ８３          掛止片、
８４          フランジ、                ８４ａ        ガイド部、
９            固定型ブラケット、        ９１          挟持部、
９２          掛着溝、                  ９３          掛止片、
９４          フランジ、                ９４ａ        ボルト孔、
１０Ａ        掛着部材、                １０Ｂ        掛止部材
１０Ｃ        掛止部材、                １０１１      上面側挟持部、
１０１１ａ    当接部、                  １０１２      支持部、
１０１３      底面部、                  １０１４      下面側挟持部、
１０１４ａ    当接部、                  １０１５      支持部、
１０１６ａ    係合片、                  １０１７ａ    係合片、
１０１６ｂ    係合溝、                  １０１７ｂ    係合溝、
１０１８      係合凹部、                １０１８ａ    ガイド部、
１０２１      支持部、                  １０２２ａ    係合片、
１０２３ａ    係合片、                  １０２２ｂ    係合溝、
１０２３ｂ    係合溝、                  １０２４      係合突起、
１０３１      支持部、                  １０３２ａ    係合片、
１０３３ａ    係合片、                  １０３２ｂ    係合溝、
１０３３ｂ    係合溝、                  １０３４      係合突起、
７０          クッション材、            ２０１        架台、
２０１１      底面部、                  ２０１２      側面部、
２０１２ａ    係合孔、                  ２０１３      側面部、
２０１３ａ    係合孔、                  ２０１４      載置部、
２０１５      開口部、                  ２０２        固定金具、
２０２１      底面部、                  ２０２１ａ    ボルト孔、
２０２２      側面部、                  ２０２３      側面部、
２０２４      係合片、                  ２０２５      係合片、
２０２５ａ    基部、                    ２０２５ｂ    係合爪、
２０２６      弾性基材
【図１】
2012043656.tif 000003
【図２】
2012043656.tif 000004
【図３】
2012043656.tif 000005
【図４】
2012043656.tif 000006
【図５】
2012043656.tif 000007
【図６】
2012043656.tif 000008
【図７】
2012043656.tif 000009
【図８】
2012043656.tif 000010
【図９】
2012043656.tif 000011
【図１０】
2012043656.tif 000012
【図１１】
2012043656.tif 000013
【図１２】
2012043656.tif 000014
【図１３】
2012043656.tif 000015
【図１４】
2012043656.tif 000016
【図１５】
2012043656.tif 000017
【図１６】
2012043656.tif 000018
【図１７】
2012043656.tif 000019
【図１８】
2012043656.tif 000020
【図１９】
2012043656.tif 000021
【図２０】
2012043656.tif 000022
【図２１】
2012043656.tif 000023
【図２２】
2012043656.tif 000024
【図２３】
2012043656.tif 000025
【図２４】
2012043656.tif 000026
【図２５】
2012043656.tif 000027
【図２６】
2012043656.tif 000028
【図２７】
2012043656.tif 000029
【図２８】
2012043656.tif 000030
【図２９】
2012043656.tif 000031
【図３０】
2012043656.tif 000032
【図３１】
2012043656.tif 000033
【図３２】
2012043656.tif 000034
【図３３】
2012043656.tif 000035
【図３４】
2012043656.tif 000036
【国際調査報告】
2012043656.tif 000037
2012043656.tif 000038
2012043656.tif 000039
2012043656.tif 000040
2012043656.tif 000041
2012043656.tif 000042